(57)【特許請求の範囲】
【請求項１】
第一の基板および第二の基板と、
前記第一の基板と前記第二の基板との間に配置された液晶層と、
前記第一の基板および前記第二の基板の少なくとも一方の基板に配置された配向膜と、を含む液晶表示装置であって、
前記配向膜はジアミンおよび酸無水物を用いて形成され、光配向法により配向処理されたポリイミドおよび前記ポリイミドの前駆体を含み、
前記ジアミンは、少なくとも一つの酸性基を有する第一のジアミンと、２つのアミノ基の他に、窒素原子含有官能基を少なくとも一つ有する第二のジアミンと、を含み、
前記第二のジアミンは、下記化学式(B-6), (B-7), (B-8), (B-9), (B-13), (B-15), (B-16), (B-17), (B-18), (B-19), (B-20), (B-21), (B-22), (B-23), (B-24), (B-25), (B-26), (B-27), (B-28), (B-30), (B-34) 及び(B-36)にて示される化合物から選択されるジアミンである（但し、ｎはそれぞれ独立に１から８の整数であり、Ｒはそれぞれ独立に炭素数１から３のアルキル基である。）、ことを特徴とする液晶表示装置。
【化１】
0006047187.tif 000032
【化２】
0006047187.tif 000033
【化３】
0006047187.tif 000034
【請求項２】
前記第二のジアミンは、第二級アミン構造を有するアミノ基、第三級アミン構造を有するアミノ基、第一級アミド基、および第二級アミド基から選択される官能基を、前記窒素原子含有官能基として少なくとも一つ有する、ことを特徴とする請求項１に記載の液晶表示装置。
【請求項３】
前記第二のジアミンは、第二級アミン構造を有するアミノ基、第一級アミド基、および第二級アミド基から選択される官能基を、前記窒素原子含有官能基として少なくとも一つ有する、ことを特徴とする請求項１又は２に記載の液晶表示装置。
【請求項４】
前記第二のジアミンは、下記化学式 (B-6), (B-7), (B-8), (B-9), (B-13), (B-15), (B-16), (B-17), (B-18), (B-19), (B-20), (B-21), (B-22), (B-23), (B-24), (B-28), (B-30) 及び(B-36)にて示される化合物から選択されるジアミンである、
【化４】
0006047187.tif 000035
【化５】
0006047187.tif 000036
（但し、ｎはそれぞれ独立に１から８の整数であり、Ｒはそれぞれ独立に炭素数１から３のアルキル基である。）ことを特徴とする請求項１乃至３いずれか一項に記載の液晶表示装置。
【請求項５】
前記第一のジアミンは、前記酸性基としてカルボン酸基、スルホン酸基、およびリン酸基から選択される少なくとも一つの官能基を含む、ことを特徴とする請求項１乃至４いずれか一項に記載の液晶表示装置。
【請求項６】
前記第一のジアミンは、前記酸性基としてスルホン酸基、およびリン酸基から選択される少なくとも一つの官能基を含むジアミン、又は、下記化学式(A-5), (A-16), (A-17)及び(A-18)にて示される化合物から選択されるジアミンである、
【化６】
0006047187.tif 000037
ことを特徴とする請求項１乃至４いずれか一項に記載の液晶表示装置。
【請求項７】
前記ジアミンの、前記第一のジアミンと前記第二のジアミンとの含有比率は２０：８０から８０：２０の間である、ことを特徴とする請求項１乃至６いずれか一項に記載の液晶表示装置。
【請求項８】
前記液晶層を構成する液晶分子は、前記配向処理で規定された初期配向方向に向いた状態でホモジニアス配向している、ことを特徴とする請求項１乃至７いずれか一項に記載の液晶表示装置。
【請求項９】
光配向法により配向処理される膜を形成する組成物であって、
少なくとも一つの酸性基を有する第一のジアミンと、２つのアミノ基の他に、窒素原子含有官能基を少なくとも一つ有する第二のジアミンと、酸無水物と、を原料として用いて形成したポリイミド前駆体を含有し、
前記第二のジアミンは、下記化学式(B-6), (B-7), (B-8), (B-9), (B-13), (B-15), (B-16), (B-17), (B-18), (B-19), (B-20), (B-21), (B-22), (B-23), (B-24), (B-25), (B-26), (B-27), (B-28), (B-30), (B-34) 及び(B-36)にて示される化合物から選択されるジアミンである（但し、ｎはそれぞれ独立に１から８の整数であり、Ｒはそれぞれ独立に炭素数１から３のアルキル基である。）、ことを特徴とする液晶配向膜形成用組成物。
【化７】
0006047187.tif 000038
【化８】
0006047187.tif 000039
【化９】
0006047187.tif 000040
【請求項１０】
前記第二のジアミンは、第二級アミン構造を有するアミノ基、第三級アミン構造を有するアミノ基、第一級アミド基、および第二級アミド基から選択される官能基を、前記窒素原子含有官能基として少なくとも一つ有する、ことを特徴とする請求項９に記載の液晶配向膜形成用組成物。
【請求項１１】
前記第二のジアミンは、第二級アミン構造を有するアミノ基、第一級アミド基、および第二級アミド基から選択される官能基を、前記窒素原子含有官能基として少なくとも一つ有する、ことを特徴とする請求項９又は１０に記載の液晶配向膜形成用組成物。
【請求項１２】
前記第二のジアミンは、下記化学式 (B-6), (B-7), (B-8), (B-9), (B-13), (B-15), (B-16), (B-17), (B-18), (B-19), (B-20), (B-21), (B-22), (B-23), (B-24), (B-28), (B-30) 及び(B-36)にて示される化合物から選択されるジアミンである、
【化１０】
0006047187.tif 000041
【化１１】
0006047187.tif 000042
（但し、ｎはそれぞれ独立に１から８の整数であり、Ｒはそれぞれ独立に炭素数１から３のアルキル基である。）ことを特徴とする請求項９乃至１１いずれか一項に記載の液晶配向膜形成用組成物。
【請求項１３】
前記第一のジアミンは、前記酸性基としてカルボン酸基、スルホン酸基、およびリン酸基から選択される少なくとも一つの官能基を含む、ことを特徴とする請求項９乃至１２いずれか一項に記載の液晶配向膜形成用組成物。
【請求項１４】
前記第一のジアミンは、前記酸性基としてスルホン酸基、およびリン酸基から選択される少なくとも一つの官能基を含むジアミン、又は、下記化学式(A-5), (A-16), (A-17)及び(A-18)にて示される化合物から選択されるジアミンである、
【化１２】
0006047187.tif 000043
ことを特徴とする請求項９乃至１２いずれか一項に記載の液晶配向膜形成用組成物。
【請求項１５】
前記第一のジアミンと前記第二のジアミンとの含有比率は２０：８０から８０：２０の間である、ことを特徴とする請求項９乃至１４いずれか一項に記載の液晶配向膜形成用組成物。
【発明の詳細な説明】
【技術分野】
【０００１】
本発明は、２つの基板に挟持された液晶層を配向させる配向膜、およびその配向膜を形成するための配向膜形成用組成物、およびその配向膜を有する液晶表示装置に関する。
【背景技術】
【０００２】
液晶表示装置は表示品質が高く、且つ薄型、軽量、低消費電力などといった特長からその用途を広げており、携帯電話用モニター、デジタルスチルカメラ用モニターなどの携帯向けモニターからデスクトップパソコン用モニター、印刷やデザイン向けモニター、医療用モニターさらには液晶テレビなど様々な用途に用いられている。これら用途拡大に伴い、液晶表示装置には高透過率化による高輝度化、低消費電力化、また低コスト化が強く求められている。
【０００３】
通常、液晶表示装置の表示は一対の基板間に挟まれた液晶層の液晶分子に電界を印加することにより液晶分子の配向方向を変化させ、それにより生じた液晶層の光学特性の変化により行われる。電界無印加時の液晶分子の配向方向は、ポリイミド薄膜の表面にラビング処理を施した配向膜により規定されている。従来、画素毎に薄膜トランジスタ（ＴＦＴ）等のスイッチング素子を備えたアクティブ駆動型液晶表示装置は、液晶層を挟持する一対の基板のそれぞれに電極を設け、液晶層に印加する電界の方向が基板面に対してほぼ垂直になる、所謂縦電界になるように設定され、液晶層を構成する液晶分子の光旋光性を利用して表示を行う。縦電界方式の代表的な液晶表示装置として、ツイステッドネマチック（ＴＮ：Ｔｗｉｓｔｅｄ  Ｎｅｍａｔｉｃ）方式が知られている。
【０００４】
ＴＮ方式の液晶表示装置においては視野角が狭いことが大きな課題の一つである。そこで、広視野角化を達成する表示方式としてＩＰＳ（Ｉｎ−Ｐｌａｎｅ  Ｓｗｉｔｃｈｉｎｇ）方式やＶＡ（Ｖｅｒｔｉｃａｌｌｙ  Ａｌｉｇｎｍｅｎｔ）方式が知られている。
【０００５】
いくつかの方式の液晶表示装置において配向膜の体積固有抵抗が高いと液晶表示装置に残留電荷が溜まってしまい、表示画像が焼きつく残像が起こることが知られている。特許文献１にＶＡ方式における配向膜の体積固有抵抗低減に関する提案がある。
【先行技術文献】
【特許文献】
【０００６】
【特許文献１】特開２００７−２４１２４９号公報
【発明の開示】
【発明が解決しようとする課題】
【０００７】
しかしながら、従来の液晶表示装置に用いられる配向膜においては、表示画像の焼き付きの抑制が不十分であるという問題がある。
【０００８】
本発明の目的は、表示画像の焼き付きが少ない配向膜を備えた液晶表示装置を提供することにある。
【課題を解決するための手段】
【０００９】
少なくとも一方の基板が透明である第一の基板および第二の基板と、前記第一の基板と前記第二の基板との間に配置された液晶層と、前記第一の基板および前記第二の基板の少なくとも一方の基板に形成され、前記液晶層に電界を印加するための電極群と、前記電極群に接続された複数のアクティブ素子と、前記第一の基板および前記第二の基板の少なくとも一方の基板に配置された配向膜と、を含む液晶表示装置において、前記配向膜はジアミンおよび酸無水物を用いて形成された、ポリイミドおよび前記ポリイミドの前駆体を含み、前記ジアミンは、少なくとも一つの酸性基を有する第一のジアミンと、２つのアミノ基の他に、窒素原子含有官能基を少なくとも一つ有する第二のジアミンと、を含むことを特徴とする液晶表示装置である。
【００１０】
また、前記第一のジアミンは、前記酸性基としてカルボン酸基、スルホン酸基、リン酸基およびホスホン酸基から選択される少なくとも一つの官能基を含むこととしてもよい。また、前記窒素原子含有官能基は、塩基性基であることとしてもよい。
【００１１】
また、前記第一のジアミンおよび前記第二のジアミンは、それぞれ下記化学式（１）および化学式（２）に示されることとしてもよい。
【００１２】
【化１】
0006047187.tif 000002
・・・（１）
【００１３】
但し、Ｘは少なくとも２価の有機基であり、その化学構造中に前記酸性基としてカルボン酸基、スルホン酸基、リン酸基およびホスホン酸基から選択される少なくとも一種の官能基を、１〜３つ含む。
【００１４】
【化２】
0006047187.tif 000003
・・・（２）
【００１５】
但し、Ｙは少なくとも２価の有機基であり、その化学構造中に窒素原子を１〜３つ含む。
【００１６】
また、前記配向膜を構成するポリイミドおよび前記ポリイミドの前駆体に含まれる、前記第一のジアミンに基づく前記酸性基の数に対する、前記窒素原子含有官能基に基づく窒素原子の数との比は、０．２５〜４．０であることとしてもよい。
【００１７】
また、前記ポリイミドおよび前記ポリイミドの前駆体の形成に用いられる前記ジアミンにおける、前記第一のジアミンの含有率と、前記第二のジアミンの含有率と、の合計は、３０モル％以上であることとしてもよい。また、前記ポリイミドおよび前記ポリイミドの前駆体の形成に用いられる前記酸無水物は、脂肪族酸二無水物を５０モル％以上含むこととしてもよい。
【００１８】
また、前記配向膜の透過率Ｙ値は、９８．０％以上であることとしてもよい。また、前記配向膜は、偏光紫外線を照射することにより液晶配向能を付与されていることとしてもよい。また、前記ポリイミドの前駆体は、ポリアミド酸エステルおよびポリアミド酸を含むこととしてもよい。
【００１９】
また、前記ポリアミド酸エステルは、シクロブタンテトラカルボン酸二無水物誘導体および芳香族ジアミンを用いて形成こととしてもよい。また、前記ポリイミドの前駆体は、ポリアミド酸エステルであり、前記ポリアミド酸エステルは、シクロブタンテトラカルボン酸二無水物誘導体を用いて形成されることとしてもよい。
【００２０】
また、ジアミンおよび酸無水物を用いて形成された、ポリイミドおよび前記ポリイミドの前駆体を含む配向膜であって、前記ジアミンは、少なくとも一つの酸性基を有する第一のジアミンと、２つのアミノ基の他に、窒素原子含有官能基を少なくとも一つ有する第二のジアミンと、を含むことを特徴とする配向膜である。
【００２１】
また、ポリイミドおよび前記ポリイミドの前駆体を含む配向膜を形成するための、配向膜形成用組成物であって、少なくとも一つの酸性基を有する第一のジアミンと、２つのアミノ基の他に、窒素原子含有官能基を少なくとも一つ有する第二のジアミンと、酸無水物と、を含有する、ことを特徴とする配向膜形成用組成物である。
【発明の効果】
【００２２】
本発明により、表示画像の焼き付きが少ない配向膜を備えた液晶表示装置を提供できる。
【図面の簡単な説明】
【００２３】
【図１】実施例１に係る液晶表示装置の１画素付近の模式断面図である。
【図２Ａ】実施例１に係る液晶表示装置の１画素付近の構成を示すアクティブマトリクス基板の模式平面図である。
【図２Ｂ】図２Ａに示す２Ｂ線に沿った断面図である。
【図２Ｃ】図２Ａに示す２Ｃ線に沿った断面図である。
【図３】実施例２に係る液晶表示装置の１画素付近の模式断面図である。
【図４Ａ】実施例２に係る液晶表示装置の１画素付近の構成を示すアクティブマトリクス基板の模式平面図である。
【図４Ｂ】図４Ａに示す４Ｂ線に沿った断面図である。
【図４Ｃ】図４Ａに示す４Ｃ線に沿った断面図である。
【図５】実施例３に係る液晶表示装置の１画素付近の模式断面図である。
【図６】実施例４に係る液晶表示装置の１画素付近の模式断面図である。
【図７】実施例５に係る液晶表示装置の１画素付近の模式断面図である。
【図８】実施例５に係る液晶表示装置の１画素付近の構成を示すアクティブマトリクス基板の模式平面図である。
【発明を実施するための最良の形態】
【００２４】
焼き付き（残像とも言う）を解決するため、配向膜（配向制御膜とも言う）の体積比抵抗を低減する手法が提案、検討されているが、発明者らの鋭意検討の結果、以下のことが明らかになった。液晶表示装置を駆動する際に配向膜界面に蓄積される直流電荷が焼き付き発生の原因となっているが、この直流電荷を除去するためには配向膜の体積比抵抗を低減するだけでは不十分である。蓄積する直流電荷の主原因は液晶中もしくは配向膜中に存在する不純物イオン性物質の偏りであり、これら不純物イオンは液晶、配向膜の合成工程、液晶表示装置作製工程によってその量や種類が異なる。
【００２５】
不純物イオンは正イオン、負イオン、もしくはその両方が存在しており、配向膜の導電性によりこれら不純物イオンの偏りを解消する、すなわち焼き付きを解消するには正負両方のイオンに対する導電性（両イオン導電性）が必要となる。発明者らはプロトン供与体である酸性基と、プロトン受容体である窒素原子含有官能基と、を配向膜構造中に共存させることにより、配向膜に両イオン導電性を付与することができ、非常に良好な焼き付き特性が得られることを見出した。また、プロトン受容体である窒素原子含有官能基は、塩基性基であることとしてもよい。
【００２６】
プロトン供与体である酸性基としてはカルボン酸基（−ＣＯＯＨ基）、スルホン酸基（−ＳＯ３Ｈ）、リン酸基（−ＯＰＯ３Ｈ２）、およびホスホン酸基（−ＰＯ３Ｈ２）が好適である。また、プロトン受容体である窒素原子含有官能基としては、例えば、アミノ基、アミド基、ヒドラジン基等があげられる。また、塩基性基であって窒素原子含有官能基としてはアミノ基またはアミド基が好適であり、アミノ基の中でも特に第二級アミン、アミド基の中では特に分子間水素結合性をもつ第一級アミド基および第二級アミド基が好適である。
【００２７】
なお、配向膜に通常使用されるポリアミド酸をイミド化して得られるポリイミドにおいて、イミド化率が低ければ、カルボン酸基とアミノ基が残留していることとなる。しかし焼き付き特性についての要求レベルは年々高くなっており、ポリアミド酸のイミド化率が低い場合に残留する程度のカルボン酸基やアミノ基では密度が低すぎて焼き付き特性が不十分で許容されない。また、イミド化率を低くするために低温や短時間で熱イミド化すると溶媒や不純物が配向膜中に多量に残留してしまい、別の表示不良を引き起こしてしまうという問題がある。
【００２８】
配向膜の分子構造中にプロトン受容体である窒素含有官能基として、例えばアミノ基またはアミド基が導入されている場合、構造によっては加熱時の酸化等により共役結合が伸びてしまい、着色が起こって液晶表示装置の透過率を落としてしまうという問題がある。特に、アミノ基とフェニル基が直接結合し、繰り返し構造となる場合は著しい着色を引き起こしてしまうため、好ましいとは言えない。
【００２９】
本発明の目的は、表示画像の焼き付きが少ない配向膜を備えた液晶表示装置を提供することにある。
【００３０】
本実施の形態に係る液晶表示装置は、少なくとも一方の基板が透明である第一の基板および第二の基板と、第一の基板と第二の基板との間に配置された液晶層と、第一の基板および第二の基板の少なくとも一方の基板に形成され、液晶層に電界を印加するための電極群と、電極群に接続された複数のアクティブ素子と、第一の基板および第二の基板の少なくとも一方の基板に配置された配向膜と、を含む液晶表示装置において、配向膜はジアミンおよび酸無水物を用いて形成された、ポリイミドおよび前記ポリイミドの前駆体を含み、ジアミンは、少なくとも一つの酸性基を有する第一のジアミンと、２つのアミノ基の他に、窒素原子含有官能基を少なくとも一つ有する第二のジアミンと、を含むことを特徴とする液晶表示装置である。
【００３１】
また、本実施の形態に係る液晶表示装置における配向膜は、ポリイミドおよびポリイミドの前駆体からなるものであってもよい。なお本実施の形態に係る液晶表示装置における第一の基板と、第二の基板と、は一対の基板を構成している。したがって本明細書中では第一の基板と、第二の基板と、をまとめて一対の基板ということがある。
【００３２】
また、本実施の形態に係る液晶表示装置における配向膜は、ジアミンおよび酸無水物を用いて形成された、ポリイミドおよび前記ポリイミドの前駆体を含む配向膜であって、前記ジアミンは、少なくとも一つの酸性基を有する第一のジアミンと、２つのアミノ基の他に、窒素原子含有官能基を少なくとも一つ有する第二のジアミンと、を含むことを特徴とする配向膜である。また、本実施の形態に係る液晶表示装置における配向膜は、ポリイミドおよびポリイミドの前駆体からなるものであってもよい。また、窒素原子含有官能基は塩基性基であることとしてもよい。すなわち配向膜の化学構造中に、酸性基と、窒素原子含有官能基もしくは塩基性基である窒素原子含有官能基と、を含むことを特徴とする。
【００３３】
また、本実施の形態に係る配向膜形成用組成物は、ポリイミドおよびポリイミドの前駆体を含む配向膜を形成するための、配向膜形成用組成物であって、少なくとも一つの酸性基を有する第一のジアミンと、２つのアミノ基の他に、窒素原子含有官能基を少なくとも一つ有する第二のジアミンと、酸無水物と、を含有する、ことを特徴とする配向膜形成用組成物である。
【００３４】
また、第一のジアミンは、酸性基として、カルボン酸基、スルホン酸基、リン酸基およびホスホン酸基から選択される少なくとも一つの官能基を含むこととしてもよい。さらに、第一のジアミンは、酸性基として、カルボン酸基およびスルホン酸基から選択される少なくとも一つの官能基を含むこととしてもよい。
【００３５】
また、第一のジアミンは、酸性基として、カルボン酸基、スルホン酸基、リン酸基およびホスホン酸基から選択される少なくとも一つの官能基のみを含むこととしてもよい。さらに、第一のジアミンは、酸性基として、カルボン酸基およびスルホン酸基から選択される少なくとも一つの官能基のみを含むこととしてもよい。
【００３６】
また、第一のジアミンは、酸性基として、カルボン酸基、スルホン酸基、リン酸基およびホスホン酸基から選択される一種の官能基のみを少なくとも一つ含むこととしてもよい。さらに、第一のジアミンは、酸性基として、カルボン酸基およびスルホン酸基から選択される一種の官能基のみを少なくとも一つ含むこととしてもよい。
【００３７】
また、第二のジアミンにおける窒素原子含有官能基は、塩基性基であるとしてもよい。そして、塩基性基である窒素原子含有官能基は、その化学構造中にアミン構造を有することとしてもよい。アミン構造とは、第一級アミン、第二級アミン、第三級アミン、芳香族アミン、アミド基などを含むものである。具体的には、アンモニア、第一級アミンまたは第二級アミンから水素を除去した１価の官能基である、第一級アミン（−ＮＨ２）、第二級アミン（−ＮＨＲ１：Ｒ１はＮと結合する一価の有機基）、第三級アミン（−ＮＲ１Ｒ２：Ｒ１、Ｒ２はそれぞれ独立にＮと結合する一価の有機基）にて示される構造の他に、アミド基、および、窒素原子含有環状化合物（例えばピリジン、ピリダジン、ピリミジン、ピラジン、１，３，５−トリアジン等）における窒素原子が導入されている構造（−Ｎ＝）も含むものである。塩基性基である窒素原子含有官能基が、その化学構造中に、第二級アミン、第一級アミド基または第二級アミド基を有するものは特に好適である。
【００３８】
また、第二のジアミンは、塩基性基である窒素原子含有官能基として、アミノ基（例えば、−ＮＨ２、−ＮＨ−等）および、アミド基（例えば、−ＣＯ−ＮＨ２、−ＣＯ−ＮＨ−等）から選択される官能基を少なくとも一つ含むことは好ましい。また、第二のジアミンは、塩基性基である窒素原子含有官能基として、第二級アミン構造（−ＮＨ−）を有するアミノ基、第一級アミド基（−ＣＯ−ＮＨ２）および第二級アミド基（−ＣＯ−ＮＨ−）から選択される官能基を少なくとも一つ含むことはさらに好ましい。
【００３９】
なお、アミド基はｐＫｂ（塩基解離定数）＝１４を有するものであり、本明細書中においては、アミド基は前述の塩基性を有する窒素原子含有官能基に含まれるものである。また、窒素原子含有環状化合物（例えばピリジン、ピリダジン、ピリミジン、ピラジン、１，３，５−トリアジン等の）から水素を除去した官能基（ピリジル基、ピリダジニル基等）も同様に塩基性を有する窒素原子含有官能基に含まれるものである。
【００４０】
また、第二のジアミンは、塩基性を有する窒素原子含有官能基として、アミノ基（例えば、−ＮＨ２、−ＮＨ−等）、アミド基（例えば、−ＣＯ−ＮＨ２、−ＣＯ−ＮＨ−等）から選択される少なくとも一種の官能基を含むこととしてもよい。また、第二のジアミンは、塩基性を有する窒素原子含有官能基として、第二級アミン構造（−ＮＨ−）を有するアミノ基、第一級アミド基（−ＣＯ−ＮＨ２）および第二級アミド基（−ＣＯ−ＮＨ−）から選択される少なくとも一種の官能基を含むことはさらに好適である。
【００４１】
また、第二のジアミンは、塩基性を有する窒素原子含有官能基として、アミノ基（例えば、−ＮＨ２、−ＮＨ−等）、アミド基（例えば、−ＣＯ−ＮＨ２、−ＣＯ−ＮＨ−等）から選択される一種の官能基のみを含むこととしてもよい。また、第二のジアミンは、塩基性を有する窒素原子含有官能基として、第二級アミン構造（−ＮＨ−）を有するアミノ基、第一級アミド基（−ＣＯ−ＮＨ２）および第二級アミド基（−ＣＯ−ＮＨ−）から選択される一種の官能基のみを含むことはさらに好適である。
【００４２】
また、本実施の形態に係る液晶表示装置における配向膜の透過率Ｙ値は９８．０％以上であることを特徴とする。さらに透過率Ｙ値は９８．５％以上が望ましく、さらに９９．０％以上が望ましい。透過率Ｙ値とは、配向膜の透過スペクトルからＪＩＳ規格Ｚ−８７２２に基づいて計算される透過率（％）であり、光源はＣ光源を前提としている。
【００４３】
また、本実施の形態に係る液晶表示装置における配向膜は偏光紫外線を照射することにより液晶配向能を付与されていることを特徴とする。発明者らは配向膜に紫外線を照射することにより配向膜の体積比抵抗値が上昇してしまうことを見出した。本実施形態による配向膜を用いることにより、紫外線を照射しても体積比抵抗の上昇を抑制でき、焼き付きに有効に作用する。
【００４４】
また、ポリイミド前駆体はポリアミド酸エステルを含むこととしてもよい。発明者らの検討の結果、ポリアミド酸エステルは体積比抵抗が非常に高いことを見出した。本実施形態による配向膜を用いることにより、ポリアミド酸エステルをイミド化して得られる配向膜の体積比抵抗を下げることができるため、有効に作用する。
【００４５】
前記ポリアミド酸エステルはシクロブタンテトラカルボン酸二無水物誘導体および芳香族ジアミンを原料とすることとしてもよい。シクロブタンテトラカルボン酸二無水物誘導体および芳香族ジアミンを用いて形成された前記ポリアミド酸エステルが配向膜に含まれることにより、偏光紫外線照射時の液晶配向安定性が高く、透過率の高い配向膜を得ることができる。
【００４６】
前記シクロブタンテトラカルボン酸二無水物誘導体の具体的構造を下記化学式（Ｃ−１）に例示する。但し、これらに限定されるものではない。
【００４７】
【化３】
0006047187.tif 000004
【００４８】
但し、化学式（Ｃ−１）におけるＺはそれぞれ独立に、水素または炭素数１から８のアルキル基である。
【００４９】
前述のように、本実施の形態に係る液晶表示装置における配向膜を構成するポリイミドおよびその前駆体は原料として第一のジアミンおよび第二のジアミンを含むことを特徴とする。ポリイミド前駆体としては、例えばポリアミド酸やポリアミド酸エステルが挙げられる。下記技術文献１に記載されているように、ポリアミド酸は、有機溶媒中でジアミン化合物とテトラカルボン酸二無水物（酸無水物、酸二無水物とも言う）とを攪拌、重合させることにより得られる。
【００５０】
技術文献１：日本ポリイミド研究会編  最新ポリイミド  株式会社エヌ・ティー・エス発行（２００２）
【００５１】
具体的には、ジアミン化合物をＮＭＰなどの極性アミド系溶媒に溶解させる。この溶液中にジアミン化合物とほぼ等モルのテトラカルボン酸二無水物を加えて室温下で攪拌すると、テトラカルボン酸二無水物の溶解とともにジアミン化合物との間で開環付加重合反応が進行し、高分子量のポリアミド酸が得られる。またポリアミド酸エステルの場合は、テトラカルボン酸二無水物にアルコールを反応させて得られるジエステルジカルボン酸に塩化チオニルなどの塩素化試薬を反応させ、高反応性のジエステルジカルボン酸クロリドを得る。これにジアミン化合物を反応、重縮合させることによりポリアミド酸アルキルエステルが得られる。
【００５２】
このとき、ジアミン化合物およびテトラカルボン酸二無水物の原料を複数種混合させることにより、一つの高分子鎖に複数の化学種が重合された共重合高分子が得られることとなる。
【００５３】
本実施形態における第一のジアミンは、下記化学式（１）に示されるジアミンである。
【００５４】
【化４】
0006047187.tif 000005
・・・（１）
【００５５】
但し、Ｘは少なくとも２価の有機基であり、その化学構造中に酸性基としてカルボン酸基、スルホン酸基、リン酸基またはホスホン酸基から選択される少なくとも一種の官能基を、１〜３つ含む。また、Ｘは少なくとも２価の有機基であり、その化学構造中に酸性基としてカルボン酸基またはスルホン酸基から選択される少なくとも一種の官能基を、１〜３つ含むこととしてもよい。
【００５６】
また、Ｘは少なくとも２価の有機基であり、その化学構造中に酸性基として、カルボン酸基、スルホン酸基、リン酸基およびホスホン酸基から選択される少なくとも一種の官能基のみを、１〜３つ含むこととしてもよい。また、Ｘは少なくとも２価の有機基であり、その化学構造中に酸性基として、カルボン酸基およびスルホン酸基から選択される少なくとも一種の官能基のみを、１〜３つ含むこととしてもよい。
【００５７】
また、Ｘは少なくとも２価の有機基であり、その化学構造中に酸性基として、カルボン酸基、スルホン酸基、リン酸基およびホスホン酸基から選択される一種の官能基のみを、１〜３つ含むこととしてもよい。また、Ｘは少なくとも２価の有機基であり、その化学構造中に酸性基として、カルボン酸基およびスルホン酸基から選択される一種の官能基のみを、１〜３つ含むこととしてもよい。
【００５８】
本実施形態における第二のジアミンは、下記化学式（２）に示されるジアミンである。
【００５９】
【化５】
0006047187.tif 000006
・・・（２）
【００６０】
但し、Ｙは少なくとも２価の有機基であり、その化学構造中に窒素原子を１〜３つ含む。
【００６１】
また、Ｙは少なくとも２価の有機基であり、その化学構造中に窒素原子含有官能基を１〜３つ含むこととしてもよい。また、Ｙは少なくとも２価の有機基であり、その化学構造中に塩基性を有する窒素原子含有官能基を１〜３つ含むこととしてもよい。
【００６２】
さらに、Ｙは少なくとも２価の有機基であり、その化学構造中に塩基性を有する窒素原子含有官能基として、アミノ基（例えば、−ＮＨ２、−ＮＨ−等）、アミド基（例えば、−ＣＯ−ＮＨ２、−ＣＯ−ＮＨ−等）から選択される少なくとも一種の官能基を１〜３つ含むこととしてもよい。また、Ｙは少なくとも２価の有機基であり、その化学構造中に塩基性を有する窒素原子含有官能基として、第二級アミン構造（−ＮＨ−）を有するアミノ基、第一級アミド基（−ＣＯ−ＮＨ２）および第二級アミド基（−ＣＯ−ＮＨ−）から選択される少なくとも一種の官能基を１〜３つ含むことはさらに好適である。
【００６３】
また、Ｙは少なくとも２価の有機基であり、その化学構造中に塩基性を有する窒素原子含有官能基として、アミノ基（例えば、−ＮＨ２、−ＮＨ−等）、アミド基（例えば、−ＣＯ−ＮＨ２、−ＣＯ−ＮＨ−等）から選択される一種の官能基のみを１〜３つ含むこととしてもよい。また、Ｙは少なくとも２価の有機基であり、その化学構造中に塩基性を有する窒素原子含有官能基として、第二級アミン構造（−ＮＨ−）を有するアミノ基、第一級アミド基（−ＣＯ−ＮＨ２）および第二級アミド基（−ＣＯ−ＮＨ−）から選択される一種の官能基のみを１〜３つ含むことはさらに好適である。
【００６４】
上記化学式（１）および化学式（２）の化合物が混合されて形成されたポリイミドおよびポリイミドの前駆体が、液晶表示装置の配向膜に用いられた場合には、当該液晶表示装置の表示画像の焼き付けは少ないものとなる。
【００６５】
第一のジアミンは例えば、下記化学式（Ａ−１）〜（Ａ−２０）にて示されるものである。但し、これらに限定されるものではない。
【００６６】
【化６】
0006047187.tif 000007
【００６７】
【化７】
0006047187.tif 000008
【００６８】
【化８】
0006047187.tif 000009
【００６９】
【化９】
0006047187.tif 000010
【００７０】
上記化学式（Ａ−９）〜（Ａ−１１）における、ｎはそれぞれ独立に１から８の整数である。
【００７１】
第二のジアミンは例えば、下記化学式（Ｂ−１）〜（Ｂ−３８）にて示されるものである。但し、これらに限定されるものではない。
【００７２】
【化１０】
0006047187.tif 000011
【００７３】
【化１１】
0006047187.tif 000012
【００７４】
【化１２】
0006047187.tif 000013
【００７５】
【化１３】
0006047187.tif 000014
【００７６】
【化１４】
0006047187.tif 000015
【００７７】
【化１５】
0006047187.tif 000016
【００７８】
【化１６】
0006047187.tif 000017
【００７９】
上記化学式（Ｂ−６）、（Ｂ−７）、（Ｂ−１４）、（Ｂ−１６）、（Ｂ−１７）、（Ｂ−２０）〜（Ｂ−２４）、（Ｂ−２６）、（Ｂ−２９）、（Ｂ−３０）、（Ｂ−３１）、（Ｂ−３７）および（Ｂ−３８）における、ｎはそれぞれ独立に１から８の整数としても良く、また０から８の整数としても良い。（Ｂ−２９）、（Ｂ−３０）、（Ｂ−３１）、（Ｂ−３２）、（Ｂ−３３）、（Ｂ−３４）、（Ｂ−３５）、（Ｂ−３６）、（Ｂ−３７）および（Ｂ−３８）のRはそれぞれ独立に炭素数１から３のアルキル基である。
【００８０】
また、化学式（Ａ−１）〜（Ａ−２０）、（Ｂ−１）〜（Ｂ−３８）の構造中に含まれる芳香環（例えば、化学式（Ａ−１）〜（Ａ−２０）および（Ｂ−６）〜（Ｂ−３８）であればベンゼン環、化学式（Ｂ−１）であればピリジン環、化学式（Ｂ−２）であればピリダジン環、化学式（Ｂ−３）および（Ｂ−４）であればピラジン環、化学式（Ｂ−５）であれば１，３，５−トリアジン環を示す）の有する水素と置換して、芳香環に直接結合するアミノ基（−ＮＨ２）の位置は特に限定されるものではない。
【００８１】
配向膜を構成するポリイミドおよびその前駆体に含まれる、第一のジアミンに基づく酸性基の数と、第二のジアミンにおける２つのアミノ基の以外の窒素原子含有官能基に基づく窒素原子の数と、の比率が２０：８０から８０：２０の間（０．２５から４．０の間）であることによって、良好な焼き付き特性が得られる。したがって、配向膜を構成するポリイミドおよびポリイミドの前駆体に含まれる、第一のジアミンに基づく酸性基の数に対する、窒素原子含有官能基に基づく窒素原子の数との比は、０．２５〜４．０であることとしてもよい。
【００８２】
ここで、窒素原子含有官能基に基づく窒素原子の数について説明をする。例えば、（Ｂ−１）の化合物はピリジン環に二つのジアミンが結合したものである。（Ｂ−１）の化合物における窒素原子含有官能基とはピリジル基であり、ピリジル基の有する窒素原子の数は一つであるので、窒素原子含有官能基に基づく窒素原子の数は一つということとなる。また、例えば、（Ｂ−２）の化合物はピリダジン環に二つのジアミンが結合したものである。（Ｂ−２）の化合物における窒素原子含有官能基とはピリダジニル基であり、ピリダジニル基の有する窒素原子の数は二つであるので、窒素原子含有官能基に基づく窒素原子の数は二つということとなる。また、（Ｂ−６）の化合物は二つのジアミンの他に化学構造中にアミド基を一つ有するものである。（Ｂ−６）の化合物における窒素原子含有官能基とはアミド基であり、アミド基の有する窒素原子の数は一つであるので、窒素原子含有官能基に基づく窒素原子の数は一つということとなる。同様に、（Ｂ−３）、（Ｂ−４）における窒素原子含有官能基に基づく窒素原子の数はそれぞれ二つということとなる。また（Ｂ−５）における窒素原子含有官能基に基づく窒素原子の数は三つということとなる。
【００８３】
配向膜を構成するポリイミドおよびポリイミドの前駆体に含まれる、第一のジアミンに基づく酸性基の数に対する、窒素原子含有官能基に基づく窒素原子の数との比が、３／７〜７／３（すなわち第一のジアミンに基づく酸性基の数：窒素原子含有官能基に基づく窒素原子の数が、３０：７０から７０：３０の間）であることとしてもよい。また、配向膜を構成するポリイミドおよびポリイミドの前駆体に含まれる、第一のジアミンに基づく酸性基の数に対する、窒素原子含有官能基に基づく窒素原子の数との比が、２／３〜３／２（すなわち第一のジアミンに基づく酸性基の数：窒素原子含有官能基に基づく窒素原子の数が、４０：６０から６０：４０の間）であることとしてもよい。
【００８４】
また、原料であるジアミンにおいて、第一のジアミンと第二のジアミンとの含有比率は２０：８０から８０：２０の間であることとしてもよい。さらに、３０：７０から７０：３０の間が望ましく、さらに４０：６０から６０：４０の間が望ましい。これにより、良好な焼き付き特性が得られる。
【００８５】
また、原料であるジアミンにおける、第一のジアミンと第二のジアミンとの合計含有率は全ジアミン成分に対して３０モル％以上であることとしてもよい。ポリイミドおよびポリイミドの前駆体の形成に用いられるジアミンにおける、第一のジアミンの含有率と、第二のジアミンの含有率と、の合計が、３０モル％以上である。これにより、良好な焼き付き特性が得られる。第一のジアミンの含有率と、第二のジアミンの含有率と、の合計はさらに３５モル％以上であることが望ましく、さらに４０モル％以上であることが望ましい。
【００８６】
前記配向膜を構成するポリイミドおよびその前駆体は原料として脂肪族酸二無水物を５０モル％以上含むこととしてもよい。原料である酸無水物が、脂肪族酸二無水物を５０モル％以上含むことにより、配向膜の透明性が向上し、高い透過率が得られる。さらに、配向膜を構成するポリイミドおよびその前駆体は原料として脂肪族酸二無水物を７０モル％以上含むことは好適である。原料である酸無水物が、脂肪族酸二無水物を７０モル％以上含むことにより、脂肪族酸二無水物を５０モル％以上含む場合と比較して、さらに配向膜の透明性が向上し高い透過率が得られる。
【００８７】
具体的な脂肪族酸二無水物を以下に例示する。しかし、これらに限定されるものではない。シクロブタン−１，２，３，４−テトラカルボン酸二無水物（ＣＢＤＡ）、３ｃ−カルボキシメチルシクロペンタン−１ｒ，２ｃ，４ｃ−トリカルボン酸１，４：２，３−二無水物（ＴＣＡＡＨ）、シクロヘキサン−１，２，４，５−テトラカルボン酸二無水物（ＣＨＤＡ）、１，５−シクロオクタジエン−１，２，５，６−テトラカルボン酸二無水物（ＣＯＥＤＡ）、５−カルボキシメチルビシクロ［２．２．１］ヘプタン−２，３，６−トリカルボン酸２，３：５，６−二無水物（ＮＤＡ）、ジシクロヘキシル−３，３´，４，４´−テトラカルボン酸二無水物（ＤＣＨＡ）、４，４´−デカメチレンジオキシビス（３，４´−シクロヘキサンジカルボン酸無水物）（ＤＯＨＡ）５，５´−エチレンジオキシビス（２，３−ノルボルナンジカルボン酸無水物）（ＥＯＢＮ）、ブタン−１，２，３，４−テトラカルボン酸二無水物（ＢｕＤＡ）、エタン−１，１，２，２−テトラカルボン酸二無水物（ＥｔＤＡ）。
【００８８】
また、芳香族酸二無水物の代表例としてピロメリット酸二無水物（ＰＭＤＡ）などが挙げられる。
【００８９】
以下、本発明の実施例について、図面を参照して詳細に説明する。これら実施例に用いた本発明による配向制御膜はその一例を示したもので、その他の構造についても同様の効果が確認されている。なお、以下では、薄膜トランジスタ等のアクティブ素子を形成した基板をアクティブマトリクス基板という。また、その対向基板にカラーフィルタを有する場合は、これをカラーフィルタ基板ともいう。また、本発明において、目標として望ましいコントラストは５００：１以上であり、目標とする残像が解消される時間は５分以内が望ましい。なお、残像の解消される時間は下記の実施例において定義される方法にて決定される。
【実施例１】
【００９０】
図１は、実施例１に係る液晶表示装置の１画素付近の模式断面図である。また、図２は、実施例１に係る液晶表示装置の１画素付近の構成を示すアクティブマトリクス基板の模式平面図である。図２Ａ実施例１に係る液晶表示装置の１画素付近の構成を示すアクティブマトリクス基板の模式平面図である。図２Ｂは図２Ａに示す２Ｂ線に沿った断面図である。図２Ｃは図２Ａに示す２Ｃ線に沿った断面図である。また、図１は、図２Ａに示す２Ｂ線に沿った断面の一部に対応する。
【００９１】
なお、図２Ｂと図２Ｃは、要部構成を強調して模式的に示すもので、図２Ａの２Ｂ線と２Ｃ線の切断部に１対１で対応しない。例えば、図２Ｂでは半導体膜１１６は図示せず、図２Ｃではコモン電極１０３とコモン配線１２０を接続するスルーホール１１８は１箇所のみを代表して示してある。
【００９２】
本実施例では、アクティブマトリクス基板（第一の基板）としてのガラス基板１０１上には、Ｃｒ（クロム）からなる走査配線（ゲート電極）１０４及び共通電極配線（コモン配線）１２０が配置され、このゲート電極１０４及びコモン配線１２０を覆うように窒化シリコンからなるゲート絶縁膜１０７が形成されている。
【００９３】
また、ゲート電極１０４上には、ゲート絶縁膜１０７を介してアモルファスシリコン又はポリシリコンからなる半導体膜１１６が配置され、アクティブ素子として薄膜トランジスタ（ＴＦＴ）１１５の能動層として機能するようにされている。また、半導体膜１１６のパターンの一部に重畳するようにＣｒ・Ｍｏ（クロム・モリブデン）よりなる信号配線（ドレイン電極）１０６と画素電極（ソース電極）１０５が配置され、これら全てを被覆するように窒化シリコンよりなる保護絶縁膜１０８が形成されている。
【００９４】
また、図２Ｃに示すように、ゲート絶縁膜１０７と保護絶縁膜１０８を貫通して形成されたスルーホール１１８を介してコモン配線１２０に接続するコモン電極１０３がオーバーコート層（有機保護膜）１１２上に配置されている。また、図２Ａに示すように、平面的には１画素の領域において、その画素電極１０５に対向するように、コモン配線１２０からスルーホール１１８を介して引き出されているコモン電極１０３が形成されている。
【００９５】
本実施例においては、画素電極１０５は、有機保護膜１１２の下層の保護絶縁膜１０８のさらに下層に配置され、有機保護膜１１２上に共通電極１０３が配置された構成となっている。これらの複数の画素電極１０５と共通電極１０３とに挟まれた領域で、１画素が構成される構造となっている。また、以上のように構成した単位画素をマトリクス状に配置したアクティブマトリクス基板の表面、すなわち、共通電極１０３が形成された有機保護膜１１２上には配向制御膜１０９が形成されている。
【００９６】
一方、図１に示すように、対向基板を構成するガラス基板１０２には、カラーフィルタ層１１１が遮光膜（ブラックマトリクス）１１３で画素毎に区切られて配置され、また、カラーフィルタ層１１１及び遮光膜１１３上は、透明な絶縁性材料からなる有機保護膜１１２で覆われている。さらに、その有機保護膜１１２上にも配向制御膜１０９が形成されてカラーフィルタ基板（第二の基板）を構成している。
【００９７】
なお、アクティブマトリクス基板（第一の基板）と、カラーフィルタ基板（第二の基板）と、で一対の基板を構成している。したがって本明細書中ではアクティブマトリクス基板（第一の基板）と、カラーフィルタ基板（第二の基板）と、をまとめて一対の基板ということがある。
【００９８】
これらの配向制御膜１０９は、ラビング配向法または高圧水銀ランプを光源とし、石英板を積層したパイル偏光子を用いて取り出される紫外線の直線偏光照射により液晶配向能が付与されている。
【００９９】
アクティブマトリクス基板を構成するガラス基板１０１とカラーフィルタ基板を構成するガラス基板１０２とが、配向制御膜１０９の面で対向配置され、これらの間に液晶分子１１０ａで構成される液晶層（液晶組成物層）１１０ｂが配置される。また、アクティブマトリクス基板を構成するガラス基板１０１及びカラーフィルタ基板を構成するガラス基板１０２の外側の面のそれぞれには、偏光板１１４が形成されている。
【０１００】
以上のようにして、薄膜トランジスタ（ＴＦＴ）を用いたアクティブマトリクス型液晶表示装置（ＴＦＴ液晶表示装置）が構成される。このＴＦＴ液晶表示装置では、液晶組成物層１１０ｂを構成する液晶分子１１０ａは、電界無印加時には対向配置されているガラス基板１０１，１０２面にほぼ平行に配向された状態となり、配向処理で規定された初期配向方向に向いた状態でホモジニアス配向している。
【０１０１】
ここで、ゲート電極１０４に電圧を印加してＴＦＴ１１５をオンにすると、画素電極１０５と共通電極１０３の間の電位差により液晶組成物層１１０ｂに電界１１７が印加され、液晶組成物層１１０ｂが持つ誘電異方性と電界との相互作用により液晶組成物層１１０ｂを構成する液晶分子１１０ａは電界方向にその向きを変える。このとき液晶組成物層１１０ｂの屈折異方性と偏光板１１４の作用により液晶表示装置の光透過率を変化させ表示を行うことができる。
【０１０２】
また、有機保護膜１１２は、絶縁性、透明性に優れるアクリル系樹脂、エポキシアクリル系樹脂又はポリイミド系樹脂などの熱硬化性樹脂を用いればよい。また、有機保護膜１１２として光硬化性の透明な樹脂を用いてもよいし、ポリシロキサン系の樹脂など無機系の材料を用いてもよい。さらには、有機保護膜１１２が配向制御膜１０９を兼ねるものであってもよい。
【０１０３】
一般的に、ＩＰＳ方式においては、従来のＴＮ方式に代表される縦電界方式と異なり基板面との界面チルトが原理的に必要なく、界面チルト角が小さいほど視角特性が良いことが知られており、特に１度以下にすることにより、液晶表示装置の視角による色変化、明度変化を大幅に抑制することが出来るため、チルト角が発生しにくい光配向法による配向が効果的である。
【０１０４】
次に、本実施例の液晶表示装置の製造方法として、配向制御膜のラビングレス配向法を用いた配向制御膜の形成について説明する。本実施例による配向制御膜の形成工程のフローは、以下（１）から（４）のようになる。
（１）配向制御膜の塗膜・形成（表示領域全面にわたり均一な塗膜を形成する）
（２）配向制御膜のイミド化焼成（ワニス溶剤の除去と耐熱性の高いポリイミド化を促進する）
（３）偏光照射による液晶配向能付与（表示領域に均一な配向能を付与する）
（４）（加熱、赤外線照射、遠赤外線照射、電子線照射、放射線照射）による配向能の促進・安定化
【０１０５】
以上の４段階のプロセスを介して配向制御膜を形成するが、上記（１）から（４）のプロセスの順番に限定されるものではなく、以下（ａ）（ｂ）のような場合には更なる効果が期待される。
（ａ）上記（３）（４）を時間的に重なるように処理することにより液晶配向能付与を加速し架橋反応などを誘起することで、更に効果的に配向制御膜を形成することが可能となる。
（ｂ）上記（４）の加熱、赤外線照射、遠赤外線照射などを用いる場合には、上記（２）（３）（４）を時間的にオーバーラップさせることにより、上記（４）のプロセスが上記（２）のイミド化プロセスを兼ねることも可能となり、短時間に配向制御膜の形成が可能となる。
【０１０６】
次に、本実施例の具体的な製造方法について説明する。アクティブマトリクス基板を構成するガラス基板１０１及びカラーフィルタ基板を構成するガラス基板１０２として、厚みが０．７ｍｍで表面を研磨したガラス基板を用いる。ガラス基板１０１に形成する薄膜トランジスタ１１５は、画素電極（ソース電極）１０５、信号配線（ドレイン電極）１０６、走査配線（ゲート電極）１０４及びアモルファスシリコンからなる半導体膜１１６から構成される。
【０１０７】
走査配線１０４、共通電極配線１２０、信号配線１０６及び画素電極１０５は、全てクロム膜をパターニングして形成し、画素電極１０５と共通電極１０３との間隔は７μｍとした。なお、共通電極１０３と画素電極１０５については、低抵抗でパターニングの容易なクロム膜を使用したが、ＩＴＯ膜を使用することで透明電極を構成して、より高い輝度特性を達成することも可能である。
【０１０８】
ゲート絶縁膜１０７と保護絶縁膜１０８は窒化珪素からなり、膜厚はそれぞれ０．３μｍとした。その上にはアクリル系樹脂を塗布し、２２０℃、１時間の加熱処理により透明で絶縁性のある有機保護膜１１２を形成した。
【０１０９】
次に、フォトリソグラフィ、エッチング処理により、図２Ｃに示すように、共通電極配線１２０までスルーホール１１８を形成し、共通電極配線１２０と接続する共通電極１０３をパターニングして形成した。
【０１１０】
その結果、単位画素（１画素）内では、図２Ａに示すように、画素電極１０５が３本の共通電極１０３の間に配置されている構成となり、画素数は１０２４×３（Ｒ、Ｇ、Ｂに対応）本の信号配線１０６と、７６８本の走査配線１０４とから構成される１０２４×３×７６８個とするアクティブマトリクス基板を形成した。
【０１１１】
本実施例において、配向制御膜１０９として、４，４´−ジアミノジフェニルエーテルと１，２，３，４−シクロブタンテトラカルボン酸二無水物を原料とするポリアミド酸と下記表１Ａに示される原料組成で合成した各種ポリアミド酸を１：１の比率で混合した配向膜材料を合成し、これら配向制御膜を用いて液晶表示装置を作製した。樹脂分濃度５重量％、ＤＭＡＣ６０重量％、γブチロラクトン２０重量％、ブチルセロソルブ１５重量％のワニスに調製し、アクティブマトリクス基板の上に印刷形成して熱処理によりイミド化し、イミド化率約９５％以上、膜厚約１１０ｎｍの緻密なポリイミドおよびポリアミド酸からなる配向制御膜１０９を形成した。
【０１１２】
【表１Ａ】
0006047187.tif 000018
【０１１３】
同様に、ＩＴＯを成膜したもう一方のガラス基板１０２の表面にも同様のポリアミド酸アミドワニスを印刷形成し、イミド化率約９５％以上、約１１０ｎｍの緻密なポリイミド及びポリアミド酸からなる配向制御膜１０９を形成した。その表面に液晶配向能を付与するために、偏光ＵＶ（紫外線）光を配向制御膜１０９に照射した。光源には高圧水銀ランプを用い、干渉フィルタを介して、２４０ｎｍ〜３２０ｎｍの範囲のＵＶ光を取り出し、石英基板を積層したパイル偏光子を用いて偏光比約１０：１の直線偏光とし、１．５Ｊ／ｃｍ２の照射エネルギーで照射した。その結果、配向制御膜表面の液晶分子の配向方向は、照射した偏光ＵＶの偏光方向に対し、直交方向であることがわかった。
【０１１４】
次に、これらの２枚のガラス基板１０１、１０２をそれぞれの液晶配向能を有する配向制御膜１０９を有する表面を相対向させて、分散させた球形のポリマービーズからなるスペーサを介在させ、周辺部にシ−ル剤を塗布し、液晶表示装置となる液晶表示パネル（以下「セル」ともいう。）を組み立てた。２枚のガラス基板１０１、１０２の液晶配向方向は互いにほぼ並行とした。このセルに、誘電異方性Δεが正で、その値が１０．２（１ｋＨｚ、２０℃）であり、屈折率異方性Δｎが０．０７５（波長５９０ｎｍ、２０℃）、ねじれ弾性定数Ｋ２が７．０ｐＮ、ネマティック−等方相転移温度Ｔ（Ｎ−Ｉ）が約７６℃のネマティック液晶組成物Ａを真空で注入し、紫外線硬化型樹脂からなる封止材で封止した。液晶層の厚み（ギャップ）は４．２μｍの液晶パネルを製作した。
【０１１５】
この液晶表示パネルのリタデーション（Δｎ・ｄ）は、約０．３１μｍとなる。Δｎ・ｄは０．２μｍ≦Δｎ・ｄ≦０．５μｍの範囲が望ましく、この範囲を超えると白表示が色づいてしまうなどの問題がある。また、このパネルに用いた配向制御膜と液晶組成物とが同等のものを用いてホモジニアス配向の液晶表示パネルを作製し、クリスタルローテーション法を用いて液晶のプレチルト角を測定したところ約０．２度を示した。この液晶表示パネルを２枚の偏光板１１４で挟み、一方の偏光板の偏光透過軸を上記の液晶配向方向とほぼ平行とし、他方をそれに直交するように配置した。その後、駆動回路、バックライトなどを接続してモジュール化し、アクティブマトリクス型の液晶表示装置を得た。本実施例では、低電圧で暗表示、高電圧で明表示となるノーマリークローズ特性とした。
【０１１６】
次に、本実施例による液晶表示装置の表示品位を評価したところ、コントラスト比５００対１の高品位な表示が確認されるとともに、中間調表示時における広視野角が確認された。
【０１１７】
また、本実施例による液晶表示装置の画像の焼き付け、残像を定量的に測定するため、ホトダイオードを組合せたオシロスコープを用いて評価した。まず、画面上に最大輝度でウインドウパターンを５０時間表示し、その後、残像が最も目立つ中間調表示、ここでは、輝度が最大輝度の１０％となるように全面を切り換え、ウインドウパターンのエッジ部のパターンが消えるまでの時間を残像消失時間として評価した。ただし、ここで許容される残像緩和時間は５分以下である。また、各種配向膜について透過率Ｙ値（％）を評価した。Ｙ値は、配向膜の透過スペクトルからＪＩＳ規格Ｚ−８７２２に基づいて計算された透過率（％）である。その結果を下記表１Ｂに示す。
【０１１８】
【表１Ｂ】
0006047187.tif 000019
【実施例２】
【０１１９】
図３は、実施例２に係る液晶表示装置の１画素付近の模式断面図である。図４Ａは、実施例２に係る液晶表示装置の１画素付近の構成を示すアクティブマトリクス基板の模式平面図である。図４Ｂは図４Ａに示す４Ｂ線に沿った断面図である。図４Ｃは図４Ａに示す４Ｃ線に沿った断面図である。
【０１２０】
また、図４は、本実施例による液晶表示装置の１画素付近の構成を説明するアクティブマトリクス基板の模式図であり、図４Ａは平面図、図４Ｂは図４Ａに示す４Ｂ線に沿った断面図、図４Ｃは図４Ａの４Ｃ線に沿った断面図を示す。また、図３は図４Ａに示す４Ｂ線に沿った断面の一部に対応する。
【０１２１】
なお、図４Ｂと図４Ｃは、要部構成を強調して模式的に示すもので、図４Ａの４Ｂ線と４Ｃ線の切断部に１対１で対応しない。例えば、図４Ｂでは半導体膜１１６は図示していない。
【０１２２】
本実施例では、アクティブマトリクス基板を構成するガラス基板１０１上には、Ｃｒよりなるゲート電極１０４及び共通電極配線１２０が配置され、ゲート電極１０４と共通電極配線１２０を覆うように窒化シリコンからなるゲート絶縁膜１０７が形成されている。また、ゲート電極１０４上には、ゲート絶縁膜１０７を介してアモルファスシリコン又はポリシリコンからなる半導体膜１１６が配置され、アクティブ素子である薄膜トランジスタ１１５の能動層として機能するようにされている。
【０１２３】
また、半導体膜１１６のパターンの一部に重畳するようにクロム・モリブデンよりなるドレイン電極１０６と画素電極（ソース電極）１０５が配置され、これら全てを被覆するように窒化シリコンよりなる保護絶縁膜１０８が形成されている。この保護絶縁膜１０８上には、有機保護膜１１２が配置されている。この有機保護膜１１２は、例えば、アクリル樹脂などの透明な材料から構成する。また、画素電極１０５はＩＴＯ（Ｉｎ２Ｏ３：Ｓｎ）などの透明電極から構成されている。共通電極１０３は、ゲート絶縁膜１０７、保護絶縁膜１０８及び有機保護膜１１２を貫通するスルーホール１１８を介して、共通電極配線１２０に接続している。
【０１２４】
液晶を駆動する電界を与える場合に、画素電極１０５と対をなす共通電極１０３は、平面的に１画素の領域を囲うように形成されている。また、この共通電極１０３は、有機保護膜１１２の上に配置されている。そして、この共通電極１０３は、上部から見たときに下層に配置しているドレイン電極１０６、走査配線１０４及び能動素子である薄膜トランジスタ１１５を隠すように配置され、半導体膜１１６を遮光する遮光層を兼ねている。
【０１２５】
以上のように構成した単位画素（１画素）をマトリクス状に配置したアクティブマトリクス基板を構成するガラス基板１０１の表面、すなわち、有機保護膜１１２上及びその上に形成された共通電極１０３の上には、配向制御膜１０９が形成されている。一方、対向基板を構成するガラス基板１０２にも、カラーフィルタ層１１１の上に形成される有機保護膜１１２の上には、配向制御膜１０９が形成されている。
【０１２６】
ここで、実施例１と同様に、高圧水銀ランプを光源とし、石英板を積層したパイル偏光子を用いて取り出される紫外線の直線偏光照射により、これらの配向制御膜１０９に液晶配向能が付与されている。
【０１２７】
そして、ガラス基板１０１と対向ガラス基板１０２が、配向制御膜１０９の形成面で対向配置され、これらの間に液晶分子１１０ａで構成された液晶組成物層１１０ｂが配置される。また、ガラス基板１０１及び対向ガラス基板１０２の外側の面のそれぞれには偏光板１１４が形成されている。
【０１２８】
このように、本実施例においても、先に述べた実施例１と同様に、画素電極１０５は、有機保護膜１１２及び保護絶縁膜１０８の下層に配置され、画素電極１０５と有機保護膜１１２との上に共通電極１０３が配置された構成となっている。また、共通電極１０３の電気抵抗が十分低い場合には、この共通電極１０３は、最下層に形成されている共通電極配線１２０も兼ねることができる。その際には、最下層に配置している共通電極配線１２０の形成及びそれに伴うスルーホール１１８の加工を省くことができる。
【０１２９】
本実施例では、図４Ａに示すように、格子状に形成された共通電極１０３に囲まれた領域で１画素が構成され、画素電極１０５と合わせて１画素を４つの領域に分割するように配置されている。また、画素電極１０５及びそれと対向する共通電極１０３がお互いに平行に配置されたジグザグな屈曲構造からなり、１画素が２つ以上の複数の副画素を形成している。これにより面内での色調変化を相殺する構造となっている。
【０１３０】
次に、本実施例による液晶表示装置の製造方法について説明する。ガラス基板１０１及び１０２としては、厚みが０．７ｍｍで表面を研磨したガラス基板を用いる。薄膜トランジスタ１１５は、画素電極（ソース電極）１０５、信号配線（ドレイン電極）１０６、走査配線（ゲート電極）１０４及びアモルファスシリコンからなる半導体膜１１６から構成される。走査配線１０４は、アルミニウム膜をパターニングし、共通電極配線１２０及び信号配線１０６は、クロム膜をパターニングし、画素電極１０５は、ＩＴＯ膜をパターニングし、図４Ａに示すように、走査配線１０４以外は、ジグザグに屈曲した電極配線パターンに形成した。その際、屈曲の角度は１０度に設定した。ゲート絶縁膜１０７と保護絶縁膜１０８は窒化珪素からなり、膜厚はそれぞれ０．３μｍとした。
【０１３１】
次に、フォトリソグラフィ法とエッチング処理により、図４Ｃに示すように、共通電極配線１２０まで約１０μｍ径の円筒状にスルーホール１１８を形成し、その上にはアクリル系樹脂を塗布し、２２０℃、で１時間の加熱処理により透明で絶縁性のある誘電率約４の有機保護膜１１２を約１μｍ厚に形成した。この有機保護膜１１２により表示領域の画素電極１０５の段差起因の凹凸を平坦化し、また、隣接する画素間のカラーフィルタ層１１１の境界部分の段差凹凸を平坦化した。
【０１３２】
その後、約７μｍ径にスルーホール１１８を再度エッチング処理し、その上から共通電極配線１２０と接続する共通電極１０３を、ＩＴＯ膜をパターニングして形成した。その際、画素電極１０５と共通電極１０３との間隔は７μｍとした。さらに、この共通電極１０３は、信号配線１０６、走査配線１０４及び薄膜トランジスタ１１５の上部を覆い画素を囲むように格子状に形成し、遮光層を兼ねるようにした。
【０１３３】
その結果、単位画素内では図４Ａに示すように、画素電極１０５が３本の共通電極１０３の間に配置されている構成となり、画素数は１０２４×３（Ｒ、Ｇ、Ｂに対応）本の信号配線１０６と、７６８本の走査配線１０４とから構成される１０２４×３×７６８個とするアクティブマトリクス基板が得られた。
【０１３４】
本実施例において、配向制御膜１０９として、２，７−ジアミノフルオレンと１−メチル−１，２，３，４−シクロブタンテトラカルボン酸二無水物を原料とするポリアミド酸メチルエステルと下記表２Ａに示される原料組成で合成した各種ポリアミド酸メチルエステルを４：６の比率で混合した配向膜材料を合成し、これら配向制御膜を用いて液晶表示装置を作製した。樹脂分濃度５重量％、ＤＭＡＣ６０重量％、γブチロラクトン２０重量％、ブチルセロソルブ１５重量％のワニスに調製し、アクティブマトリクス基板の上に印刷形成して熱処理によりイミド化し、イミド化率約９５％以上、膜厚約１２０ｎｍの緻密なポリイミド及びポリアミド酸メチルエステルからなる配向制御膜１０９を形成した。
【０１３５】
【表２Ａ】
0006047187.tif 000020
【０１３６】
その配向処理方法は、実施例１と同様の偏光ＵＶを１．５Ｊ／ｃｍ２の照射エネルギで照射した。
【０１３７】
次に、これらの２枚のガラス基板１０１、１０２をそれぞれの配向制御膜を有する表面を相対向させて、分散させた球形のポリマービーズからなるスペーサを介在させて、周辺部にシール剤を塗布し、液晶表示パネルを組み立てた。２枚のガラス基板１０１、１０２の液晶配向方向は互いにほぼ並行とした。
【０１３８】
この液晶表示パネルに誘電異方性Δεが正でその値が１０．２（１ｋＨｚ、２０℃）であり、屈折率異方性Δｎが０．０７５（波長５９０ｎｍ、２０℃）、ねじれ弾性定数Ｋ２が７．０ｐＮ、ネマティック−等方相転移温度Ｔ（Ｎ−Ｉ）が約７６℃のネマティック液晶組成物Ａを真空で注入し、紫外線硬化型樹脂からなる封止材で封止した。液晶層の厚み（ギャップ）は４．２μｍの液晶パネルを製作した。このパネルのリタデーション（Δｎｄ）は、約０．３１μｍとなる。
【０１３９】
また、この液晶表示パネルに用いた配向制御膜と液晶組成物とが同等のものを用いてホモジニアス配向の液晶表示パネルを作製し、クリスタルローテーション法を用いて液晶のプレチルト角を測定したところ約０．２度を示した。このパネルを２枚の偏光板１１４で挟み、一方の偏光板の偏光透過軸を上記の液晶配向方向とほぼ平行とし、他方をそれに直交するように配置した。その後、駆動回路、バックライトなどを接続してモジュール化し、アクティブマトリクス型の液晶表示装置を得た。本実施例では、低電圧で暗表示、高電圧で明表示となるノーマリークローズ特性とした。
【０１４０】
これら液晶表示装置および配向膜について、実施例１と同様に評価した。結果を表２Ｂに示す。
【０１４１】
【表２Ｂ】
0006047187.tif 000021
【実施例３】
【０１４２】
図５は、実施例３に係る液晶表示装置の１画素付近の模式断面図である。図中、前記した各実施例の図面と同一符号は同一機能部分に対応する。図５に示すように、本実施例では、保護絶縁膜１０８の下層に配置した画素電極１０５を、スルーホール１１８を介して有機保護膜１１２上に引き上げて共通電極１０３と同層に配置した。この構成とした場合には、液晶を駆動する電圧をさらに低減することが可能である。
【０１４３】
以上のように構成されたＴＦＴ液晶表示装置では、電界無印加時には、液晶組成物層１１０ｂを構成する液晶分子１１０ａは対向配置されているガラス基板１０１と１０２の面にほぼ平行な状態となり、光配向処理で規定された初期配向方向に向いた状態でホモジニアス配向している。ここで、ゲート電極１０４に電圧を印加して薄膜トランジスタ１１５をオンにすると、画素電極１０５と共通電極１０３との間の電位差により液晶組成物層１１０ｂに電界１１７が印加され、液晶組成物が持つ誘電異方性と電界との相互作用により液晶分子１１０ａは電界方向にその向きを変える。このとき液晶組成物層１１０ｂの屈折異方性と偏光板１１４の作用により液晶表示装置の光透過率を変化させ表示を行うことができる。
【０１４４】
以下、本実施例による液晶表示装置の製造方法について説明する。ガラス基板１０１と１０２としては、厚みが０．７ｍｍで表面を研磨したガラス基板を用いる。薄膜トランジスタ１１５は、画素電極（ソース電極）１０５、信号配線（ドレイン電極）１０６、走査配線（ゲート電極）１０４及びアモルファスシリコンからなる半導体膜１１６から構成される。走査配線１０４はアルミニウム膜をパターニングし、共通電極配線１２０、信号配線１０６及び画素電極１０５はクロム膜をパターニングして形成した。ゲート絶縁膜１０７と保護絶縁膜１０８は窒化珪素からなり、膜厚はそれぞれ０．３μｍとした。その上にアクリル系樹脂を塗布し、２２０℃、１時間の加熱処理により透明で絶縁性のある誘電率約４の有機保護膜１１２を約１．０μｍ厚に形成した。この有機保護膜１１２により表示領域の画素電極１０５の段差起因の凹凸を平坦化し、また、隣接する画素間の段差凹凸を平坦化した。
【０１４５】
次に、フォトリソグラフィ法とエッチング処理により、図５に示すように、ソース電極１０５まで約１０μｍ径の円筒状にスルーホール１１８を形成し、その上からソース電極１０５と接続する画素電極１０５を、ＩＴＯ膜をパターニングして形成した。また、共通電極配線１２０についても約１０μｍ径の円筒状にスルーホール１１８を形成し、その上からＩＴＯ膜をパターニングして共通電極１０３を形成した。その際、画素電極１０５と共通電極１０３との間隔は７μｍとし、走査配線１０４以外は、ジグザグに屈曲した電極配線パターンに形成した。その際、屈曲の角度は１０度に設定した。さらに、この共通電極１０３は信号配線１０６、走査配線１０４及び薄膜トランジスタ１１５の上部を覆い画素を囲むように格子状に形成し、遮光層を兼ねるようにした。
【０１４６】
その結果、単位画素内に２種類のスルーホール１１８が形成されている以外は、実施例２とほぼ同様に、画素電極１０５が３本の共通電極１０３の間に配置されている構成となり、画素数は１０２４×３（Ｒ、Ｇ、Ｂに対応）本の信号配線１０６と、７６８本の走査配線１０４とから構成される１０２４×３×７６８個とするアクティブマトリクス基板を形成した。
【０１４７】
以上のように、画素構造と、用いる配向制御膜以外は、実施例２と同様として、図５に示すように、液晶表示装置を作製した。
【０１４８】
本実施例において、配向制御膜１０９として、下記表３Ａに示される原料組成で合成した各種ポリアミド酸からなる配向膜材料を用いて液晶表示装置を作製した。樹脂分濃度５重量％、ＤＭＡＣ６０重量％、γブチロラクトン２０重量％、ブチルセロソルブ１５重量％のワニスに調製し、アクティブマトリクス基板の上に印刷形成して熱処理によりイミド化し、イミド化率約９５％以上、膜厚約１１０ｎｍの緻密なポリイミドおよびポリアミド酸からなる配向制御膜１０９を形成した。
【０１４９】
【表３Ａ】
0006047187.tif 000022
【０１５０】
その配向処理方法は、ラビング配向処理とした。
【０１５１】
これら液晶表示装置および配向膜について、実施例１と同様に評価した。結果を表３Ｂに示す。
【０１５２】
【表３Ｂ】
0006047187.tif 000023
【実施例４】
【０１５３】
図６は、実施例４に係る液晶表示装置の１画素付近の模式断面図である。図中、前記した各実施例の図面と同一符号は同一機能部分に対応する。本実施例では、電極などによる段差が大きい構造となっている。図６において、薄膜トランジスタ１１５のゲート電極１０４と共通電極１０３とを同層に形成し、共通電極１０３と画素電極１０５による電界１１７によって、液晶分子１１０ａはその電界方向に向きを変える。
【０１５４】
また、上記した各実施例においては、１つの画素における共通電極１０３と画素電極１０５から構成される表示領域は、複数組設けることが可能である。このように、複数組設けることによって、１つの画素が大きい場合でも、画素電極１０５と共通電極１０３との間の距離を短くできるので、液晶を駆動させるために印加する電圧を小さくできる。
【０１５５】
また、上記した各実施例においては、画素電極と共通電極の少なくとも一方を構成する透明導電膜の材料としては、特に制限はないが、加工の容易さ、信頼性の高さ等を考慮して、インジウム・チン・オキサイド（ＩＴＯ）のようなチタン酸化物にイオンドープされた透明導電膜又はイオンドープされた亜鉛酸化物を用いるのが望ましい。
【０１５６】
本実施例による液晶表示装置の製造方法において、ガラス基板１０１と１０２としては、厚みが０．７ｍｍで表面を研磨したガラス基板を用いる。薄膜トランジスタ１１５は画素電極（ソース電極）１０５、信号配線（ドレイン電極）１０６、走査配線（ゲート電極）１０４及びアモルファスシリコンからなる半導体膜１１６から構成される。走査配線１０４、共通電極配線１２０、信号配線１０６、画素電極１０５及び共通電極１０３は、全てクロム膜をパターニングして形成し、画素電極１０５と共通電極１０３との間隔は７μｍとした。ゲート絶縁膜１０７と保護絶縁膜１０８は窒化珪素からなり、膜厚はそれぞれ０．３μｍとした。
【０１５７】
本実施例において、配向制御膜１０９として、１，４−フェニレンジアミンと１，２，３，４−シクロブタンテトラカルボン酸二無水物を原料とするポリアミド酸ｔ−ブチルエステルと下記表４Ａに示される原料組成で合成した各種ポリアミド酸を６：４の比率で混合した配向膜材料を合成し、これら配向制御膜を用いて液晶表示装置を作製した。樹脂分濃度５重量％、ＤＭＡＣ６０重量％、γブチロラクトン２０重量％、ブチルセロソルブ１５重量％のワニスに調製し、アクティブマトリクス基板の上に印刷形成して熱処理によりイミド化し、イミド化率約９５％以上、膜厚約１００ｎｍの緻密なポリイミドおよびポリアミド酸からなる配向制御膜１０９を形成した。
【０１５８】
【表４Ａ】
0006047187.tif 000024
【０１５９】
その配向処理方法は、実施例１と同様の偏光ＵＶを１．５Ｊ／ｃｍ２の照射エネルギーで照射した。その結果、画素数は１０２４×３（Ｒ、Ｇ、Ｂに対応）本の信号配線１０６と、７６８本の走査配線１０４とから構成される１０２４×３×７６８個とするアクティブマトリクス基板を形成した。
【０１６０】
以上のように、画素構造以外は実施例１と同様として、図６に示す本実施例の液晶表示装置を作製した。
【０１６１】
これら液晶表示装置および配向膜について、実施例１と同様に評価した。結果を表４Ｂに示す。
【０１６２】
【表４Ｂ】
0006047187.tif 000025
【実施例５】
【０１６３】
図７は、実施例５に係る液晶表示装置の１画素付近の模式断面図である。図中、前記した各実施例の図面と同一符号は同一機能部分に対応する。本実施例において、画素電極１０５と共通電極１０３は、ＩＴＯにより形成されており、共通電極１０３は画素のほぼ全体を覆うベタ電極で構成されている。本構成により電極上も透過部として利用することができ、開口率を向上することができる。また、電極間隔を短くすることができ、電界を効率よく液晶に印加できる。
【０１６４】
図８は、実施例５に係る液晶表示装置の１画素付近の構成を示すアクティブマトリクス基板の模式平面図であり、薄膜トランジスタ１１５、共通電極１０３、画素電極１０５、信号配線１０６の構造を示す。
【０１６５】
本実施例による液晶表示装置の製造方法において、ガラス基板１０１としては、厚みが０．７ｍｍで表面を研磨したガラス基板を用いる。ガラス基板１０１上には、共通電極１０３、画素電極１０５、信号配線１０６及び走査配線１０４の短絡を防止するためのゲート絶縁膜１０７と、薄膜トランジスタ１１５、画素電極１０５及び信号配線１０６を保護する保護絶縁膜１０８を形成してＴＦＴ基板とする。
【０１６６】
薄膜トランジスタ１１５は、画素電極（ソース電極）１０５、信号配線（ドレイン電極）１０６、走査配線（ゲート電極）１０４及びアモルファスシリコンからなる半導体膜１１６から構成される。走査配線（ゲート電極）１０４はアルミニウム膜をパターニングし、信号配線（ドレイン電極）１０６はクロム膜をパターニングし、そして共通電極１０３と画素電極１０５とはＩＴＯをパターニングして形成する。
【０１６７】
ゲート絶縁膜１０７と保護絶縁膜１０８は窒化珪素からなり、膜厚はそれぞれ０．２μｍと０．３μｍとした。容量素子は画素電極１０５と共通電極１０３でゲート絶縁膜１０７と保護絶縁膜１０８を挟む構造として形成する。
【０１６８】
画素電極１０５は、ベタ形状の共通電極１０３の上層に重畳する形で配置されている。画素数は１０２４×３（Ｒ，Ｇ，Ｂに対応）本の信号配線１０６と、７６８本の走査配線１０４とから構成される１０２４×３×７６８個とする。
【０１６９】
ガラス基板１０２上には、実施例１と同様に、ブラックマトリクス１１３付きカラーフィルタ層１１１を形成し、対向カラーフィルタ基板とした。
【０１７０】
本実施例において、配向制御膜１０９として、１，４−フェニレンジアミン（ＰＤＡ）と１，３−ジメチル−１，２，３，４−シクロブタンテトラカルボン酸二無水物を原料とするポリアミド酸メチルエステルと下記表５Ａに示される原料組成で合成した各種ポリアミド酸を５：５の比率で混合した配向膜材料を合成し、これら配向制御膜を用いて液晶表示装置を作製した。樹脂分濃度５重量％、ＤＭＡＣ６０重量％、γブチロラクトン２０重量％、ブチルセロソルブ１５重量％のワニスに調製し、アクティブマトリクス基板の上に印刷形成して熱処理によりイミド化し、イミド化率約９５％以上、膜厚約１００ｎｍの緻密なポリイミドおよびポリアミド酸エステルおよびポリアミド酸からなる配向制御膜１０９を形成した。
【０１７１】
【表５Ａ】
0006047187.tif 000026
【０１７２】
同様に、ＩＴＯを成膜したもう一方のガラス基板１０２の表面にも同様に配向制御膜１０９を形成した。
【０１７３】
その配向処理方法は、実施例１と同様の偏光ＵＶを１．５Ｊ／ｃｍ２の照射エネルギーで照射した。
【０１７４】
ＴＦＴ基板及びカラーフィルタ基板における配向制御膜１０９の配向方向は互いにほぼ平行とした。これらの基板間に平均粒径が４μｍのポリマービーズをスペーサとして分散し、ＴＦＴ基板とカラーフィルタ基板との間に液晶分子１１０ａを挟み込んだ。液晶分子１１０ａは、実施例１と同じ液晶組成物Ａを用いた。
【０１７５】
ＴＦＴ基板とカラーフィルタ基板とを挟む２枚の偏光板１１４はクロスニコルに配置した。そして、低電圧で暗状態となり、高電圧で明状態をとるノーマリークローズ特性を採用した。
【０１７６】
これら液晶表示装置および配向膜について、実施例１と同様に評価した。結果を表５Ｂに示す。
【０１７７】
【表５Ｂ】
0006047187.tif 000027
【実施例６】
【０１７８】
本実施例において、配向制御膜１０９として、下記表６Ａに示される原料組成で合成したポリアミド酸メチルエステルを用いた他は、実施例５と同様にして液晶表示装置を作成した。
【０１７９】
【表６Ａ】
0006047187.tif 000028
【０１８０】
これら液晶表示装置および配向膜について、実施例１と同様に評価した。結果を表６Ｂに示す。
【０１８１】
【表６Ｂ】
0006047187.tif 000029
【実施例７】
【０１８２】
本実施例において、配向制御膜１０９として、１，４−フェニレンジアミン（ＰＤＡ）と１，３−ジメチル−１，２，３，４−シクロブタンテトラカルボン酸二無水物を原料とするポリアミド酸メチルエステルと下記表７Ａに示される原料組成で合成した各種ポリアミド酸を３：７の比率で混合した配向膜材料を用いた他は、実施例５と同様にして液晶表示装置を作成した。
【０１８３】
【表７Ａ】
0006047187.tif 000030
【０１８４】
これら液晶表示装置および配向膜について、実施例１と同様に評価した。結果を表７Ｂに示す。
【０１８５】
【表７Ｂ】
0006047187.tif 000031
【符号の説明】
【０１８６】
１０１，１０２  ガラス基板、１０３  共通電極（コモン電極）、１０４  走査配線（ゲート電極）、１０５  画素電極（ソース電極）、１０６  信号配線（ドレイン電極）、１０７  ゲート絶縁膜、１０８  保護絶縁膜、１０９  配向制御膜、１１０ａ  液晶分子、１１０ｂ  液晶層（液晶組成物層）、１１１  カラーフィルタ層、１１２  オーバーコート層（有機保護膜）、１１３  遮光膜（ブラックマトリクス）、１１４  偏光板、１１５  薄膜トランジスタ（ＴＦＴ）、１１６  半導体膜（アモルファスシリコン又はポリシリコン）、１１７  電界（電界方向）、１１８  スルーホール、１２０  共通電極配線（コモン配線）。
【図１】
0006047187.tif 000044
【図２Ａ】
0006047187.tif 000045
【図２Ｂ】
0006047187.tif 000046
【図２Ｃ】
0006047187.tif 000047
【図３】
0006047187.tif 000048
【図４Ａ】
0006047187.tif 000049
【図４Ｂ】
0006047187.tif 000050
【図４Ｃ】
0006047187.tif 000051
【図５】
0006047187.tif 000052
【図６】
0006047187.tif 000053
【図７】
0006047187.tif 000054
【図８】
0006047187.tif 000055